(57)【特許請求の範囲】
【請求項１】
軸を中心に回転する回転部品を軸に設けて、前記回転部品に抽出対象物を取り付けることが出来る取り付け部分を備えさせて、前記取り付け部分に前記抽出対象物を取り付けて容器内に前記軸を使って浸漬させ、首振り機能を備えさせることにより、前記回転部品を公転回転させ、且つ自転回転を可能とすることにより、前記回転部品に取り付けた前記抽出対象物を公転回転させ、且つ、自転回転を可能とすることで、成分の抽出を加速させることを特徴とする成分抽出加速装置。
【請求項２】
前記軸が可撓性を持つことを特徴とする請求項１記載の成分抽出加速装置。
【請求項３】
前記回転部品を前記軸の末端付近に設けることを特徴とする請求項1又は２記載の成分抽出加速装置。
【請求項４】
前記回転部分の前記取り付け部分をテンビン状にすることを特徴とする請求項１、２又は３のいずれか記載の成分抽出加速装置。
【発明の詳細な説明】
【技術分野】
【０００１】
軸を中心に回転する回転部品を軸に設けて、前記回転部品に抽出対象物を取り付けることが出来る取り付け部分を備えさせて、前記取り付け部分に前記抽出対象物を取り付けて容器内に前記軸を使って浸漬させ、首振り機能を備えさせることにより、前記回転部品を公転回転させ、且つ自転回転を可能とすることにより、前記回転部品に取り付けた前記抽出対象物を公転回転させ、且つ、自転回転を可能とすることで、成分の抽出を加速させることを特徴とする成分抽出加速装置に関するものである。
【背景技術】
【０００２】
抽出成分を持つ固体物又は、ティーパックやカートリッジ等に粉末状の抽出物を内蔵したもの（以後これらの総称を抽出対象物と表示）を容器内に挿入して抽出するにおいて、軸に設けた回転部品に前記抽出対象物を取りつけて容器内に浸漬させ、首振り機能を備えさせることにより、前記抽出対象物を公転回転させ、且つ、前記回転部品で自転回転をさせる事で、成分の抽出を加速させることを特徴とする成分抽出装置は見受けられない。
【０００３】
尚、本願発明における首振り機能とは、前記軸に設けられた前記回転部品が、前記軸を支点としての公転回転をする機能を定義する。
【０００４】
特許公開２００３−０６３５６２号に記載されている発明は、既成のティーパック類を水中に入れた場合、ティーパックは浮力によって水面に浮遊する為に、ティーパックに内包された粉末状の抽出物の成分の抽出に時間がかかるというティーパックの浮力による浮遊問題を解決する為に開発されたものである。しかし、この構造は単にティーパックの紐の代わりに棒を設けて、棒の末端に取り付けたティーパックを容器内に浸漬させる目的で作られており、ティーパックを公転回転させ、且つ、自転回転をさせる機能は備えていない。
【０００５】
登録実用新案３０１７５３４号に記載されている発明は、ペットボトルキャップの底面にカートリッジを備えているものである。しかし、この構造は単に、容器を閉じた状態で粉末状の抽出物を内蔵したカートリッジを浸漬させるにすぎず、カートリッジ内に密閉された粉末状の抽出物が浮き上がってしまうのでカートリッジ内の抽出物を浸漬させることが出来ない。仮に、カートリッジを二層にして、下部に粉末状の抽出物を固定して浸漬させても、カートリッジが固定されている為、抽出対象物のカートリッジを公転回転させ、且つ自転回転させる機能は備えていない。
【先行技術文献】
【特許文献】
【０００６】
【特許文献１】特許公開２００３−０６３５６２号
【特許文献２】登録実用新案３０１７５３４号
【発明の概要】
【発明が解決しようとする課題】
【０００７】
上記先行技術は、単に抽出対象物を容器内に浸漬させる事を課題としており、容器内で抽出対象物を公転回転させ、且つ、自転回転をさせる機能を有していない。
【０００８】
抽出対象物を取り付ける機能を持つ回転部品を軸に設けた成分抽出装置を作成して、容器内に前記軸を使って浸漬させ、首振り機能を備えさせることで、容器内に浸漬させた抽出対象物を公転回転させ且つ、自転回転を可能とすることで抽出対象物の抽出時間をいかに短縮させるかを課題とするものである。
【課題を解決するための手段】
【０００９】
本発明は、上記課題を解決する為に、以下の手段を備えたものである。  
【００１０】
軸を中心に回転する回転部品を軸に設けて、前記回転部品に抽出対象物を取り付けることが出来る取り付け部分を備えさせて、前記取り付け部分に前記抽出対象物を取り付けて容器内に前記軸を使って浸漬させ、首振り機能を備えさせることにより、前記回転部品を公転回転させ、且つ自転回転を可能とすることにより、前記回転部品に取り付けた前記抽出対象物を公転回転させ、且つ、自転回転を可能とすることで、成分の抽出を加速させることを特徴とする成分抽出加速装置を作成する。
【００１１】
又、前記軸が可撓性を持つことを特徴とする成分抽出加速装置を作成する。
【００１２】
そして、前記回転部品を前記軸の末端付近に設けることを特徴とする成分抽出加速装置を作成することにより、本願発明の効果が発揮できる。。
【発明の効果】
【００１３】
軸を中心に回転する回転部品を軸に設けて、前記回転部品に抽出対象物を取り付けることが出来る取り付け部分を備えさせて、前記取り付け部分に前記抽出対象物を取り付けて容器内に前記軸を使って浸漬させ、首振り機能を備えさせることにより、前記回転部品を公転回転させ、且つ自転回転を可能とすることにより、前記回転部品に取り付けた前記抽出対象物を公転回転させ、且つ、自転回転を可能とすることで、成分の抽出を加速させることを特徴とする成分抽出加速装置を作成する。この効果を以下に述べる。
【００１４】
首振り機能を備えさせて前記軸を支点として前記回転部品を公転回転させ、且つ自転回転を可能とすることにより、前記回転部品に取り付けた前記抽出対象物を公転回転させ、且つ、自転回転を可能とする事で、公転と自転の二通りの回転により前記抽出対象物の抽出速度を加速させて抽出時間を短縮させることが出来る。
【００１５】
又、前記軸を支点とした公転回転により、容器内では前記軸が公転回転する方向に回転水流が発生する。この回転水流は前記軸を中心に回転する前記回転部品の自転回転を可能とする。
【００１６】
前記軸が可撓性を持つことを特徴とする成分抽出加速装置を作成する。この効果を以下に述べる。軸に可撓性を持たせて、前記軸を振幅させた場合、軸は鞭のようなしなった運動（以後は鞭振り運動と記載する）を行う。この鞭振り運動には前記回転部品の公転回転を大きくする効果がある。
【００１７】
００１６項で述べた公転回転を大きくする効果で、公転回転により発生する回転水流は強くなるので、前記回転部品の自転回転を促進することが出来る。００１６項で述べた軸の可撓性による鞭振り運動により、前記回転部品の取り付け部分に取り付けられた抽出対象物は、より大きな公転回転をすることが可能となるので、この効果で、回転水流がより強く、より永く持続されることで前記抽出対象物の自転回転を促進する事が出来る。
【００１８】
ここで、軸が持つ可撓性とは、軸自体をゴム等の可撓性を持つ材質や、軸自体をスプリング等の可撓性を持つ形状にすることはもちろん、軸と軸を接合するジョイントや、００６９項で後述する軸を容器内に接合する接合ジョイントを作成して、このジョイントを、可撓性を持つ材質や可撓性を持つ形状にすることにより、軸が可撓性を備えることを含む。
【００１９】
前記回転部品を前記軸の末端付近に設けることを特徴とする成分抽出加速装置を作成する。この効果を以下に述べる。前記軸の先端を支点する公転回転を前記回転部品が行う場合、前記回転部品は前記軸の末端付近に備えられた場合に最も大きな公転回転を行うことが出来る。これにより、前記回転部品が備える取り付け部分に取り付けられた抽出対象物は、更に大きな公転回転が可能となり、且つ、前記軸の末端付近は、公転回転により発生する回転水流の影響を強く受けるので、自転回転が促進される。
【図面の簡単な説明】
【００２０】
【図１】本発明の成分抽出加速装置の軸１の先端を、ペットボトルキャップ１１の底面に後述する圧入ジョイント１２で固定して、ペットボトル１０に挿入した図を示す。
【図２】図１においてペットボトル１０を手１８で揺り動かした場合の動作を示す。
【図３】図１における本発明の成分抽出加速装置の分解図を示す。
【図４】既成のペットボトルキャップ１１に後述する圧入ジョイント１２を使用して本発明の成分抽出装置の軸１の先端を固定した図を示す。
【図５】圧入ジョイント１２の底面図を示す。
【図６】図４で示した圧入ジョイント１２に軸１を固定した状態のペットボトルキャップ１１をペットボトル１０に取り付けて密閉した図を示す。
【図７】ペットボトル１０を図２で示す手１８で揺り動かす際の動作を、ペットボトル１０の底面からの見た見取り図を示す。
【図８】本発明の成分抽出加速装置をペットボトルキャップ１１の底面に、後述するフレンジジョイント１６ｂで固定して、ペットボトル１０に挿入して密閉した図を示す。
【図９】図８においてペットボトル１０を手１８で掴んで揺り動かした場合の動作を示す。
【図１０】図８における本発明の成分抽出加速装置の分解図を示す。
【図１１】本発明の成分抽出加速装置を００７２項で後述する専用のペットボトルキャップ１１ａの底面に固定して、ペットボトル１０に挿入して密閉した図を示す。
【図１２】容器蓋の底面に軸１の先端を接合できるゴム管の接合ジョイント１３ａを備えたペットボトルキャップ１１ａを示す。
【図１３】容器蓋の底面に軸１ａの先端を接合できる突起物１７を持つ接合ジョイント１３ｂを備えたペットボトルキャップ１１ｂ及び、これに接合する軸１ａを示す。
【図１４】図５で示す圧入ジョイント１２の底面に軸１の先端を接合できるゴム管の接合ジョイント１３ａを備えた圧入ジョイント１２ａを示す。
【図１５】図５で示す圧入ジョイント１２の底面に軸１ａの先端を接合できる突起物１７を持つ接合ジョイント１３ｂ及びこれに接合する軸１ａを示す。
【図１６】図１０で示すフレンジジョイント１６ｂに、ゴム管の接合ジョイント１３ａを用いて軸１に接合する場合の分解図を示す。
【図１７】図１０で示すフレンジジョイント１６の底面に軸１ａの先端を接合できる突起物１７を持つ接合ジョイント１３ｂを備えたフレンジジョイント１６ｂ示す。
【図１８】回転部品２の側面のテンビン状の取り付け部分３ｂ、３ｂ´に００８２項で後述する専用のティーパック７、７´を固定した使用例を示す。
【図１９】回転部品２の側面のテンビン状の取り付け部分３ｂ、３ｂ´に００８４項で後述する専用のカートリッジ８´、錘６を固定した使用例を示す。
【図２０】回転部品２の側面の三方向のテンビン状の取り付け部分３ａ、３ｂ、３ｂ´にティーパック７、浮遊手段５、錘６を固定した使用例を示す。
【図２１】回転部品２αの側面に回転機能を持つテンビン状の取り付け部分３ｂ、３ｂ´を持つ使用例を示す。
【図２２】回転部品２の側面のテンビン状の同じ側の取り付け部分３ｂに浮遊手段５と錘６を持ち、テンビンの逆側に取り付け部分３ａを持つ使用例を示す。
【図２３】回転部品２のテンビン状の側面の取り付け部分３ｂに浮遊手段５を備え、テンビンの逆側の取り付け部分３ａに移動可能の錘６を備えた使用例を示す。
【図２４】回転部品２αのテンビン状の側面の取り付け部分３ｂによって固定されたカートリッジ８に取り付け部分３ａを持つ使用例を示す。
【図２５】回転部品２αのテンビン状の側面に４枚羽根の浮遊手段５を備えた回転機能を持つ取り付け部分３ｂ、３ｂ´を持つ使用例を示す。
【図２６】軸１に２個の回転部品２、２´を持つ使用例を示す。
【図２７】浮遊手段５を備えた回転部品２の側面に、脱着可能の取り付け部分３ａを持つ使用例を示す。
【図２８】取り付け部分３の先端３αを球状にして、軸1の末端の空洞キ´にはめ込んだ使用例を示す。
【図２９】軸１を中心に回転する回転部品２α´の底面に回転機能を持つ取り付け部分３ａを持つ使用例を示す。
【図３０】軸１を中心に回転する回転部品２α´の底面に回転機能を持つ取り付け部分３ｂを備えて、これに浮遊効果があるカートリッジ８´を固定した使用例を示す。
【図３１】軸１を中心に回転する回転部品２α´´の側面及び底面に回転機能を持つ取り付け部分３ａ、３ｂ、３ｂ´を持つ使用例を示す。
【図３２】回転機能を備えた接合ジョイント１３α、１３α´を使用する事により、軸自体に回転機能を持たせた本発明の成分抽出加速装置の使用例を示す。
【発明を実施するための形態】
【実施例１】
【００２１】
実施例１では以下の形態の成分抽出加速装置を用いて説明する。
【００２２】
図１で示すように、球状の回転部品２を作成して、前記回転部品２に縦穴（ア）をあけ、縦穴（ア）に貫通した、縦穴（ア）の口径より細い直径を持つ軸１の末端付近に、前記回転部品２を一対の固定部品４ａ、４ｂで上下に抜け止め固定する。この回転部品２の側面に先端がフック状の取り付け部分３ａを突出させて設ける。
【００２３】
又、前記取り付け部分３ａを備えた回転部品の逆の側面にテンビン状に取り付け部分３ｂを設けて、浮遊手段５を取り付ける。
【００２４】
前記取り付け部分３ｂの端部はネジに形成されており、ネジの末端は回転部品が備えたネジ穴（イ）に接合される。又、ネジの先端は浮遊手段５が備えるネジ穴（イ´）に接合される。前記浮遊手段５は中心に浮力を備えて、その側面には羽根を備えている。
【００２５】
更に、回転部品２の縦穴（ア）を貫通した軸１には下部末端をネジにした取り付け部分３ｂ´を設けており、ネジに適合するネジ穴（イ´´）を持つ錘６がネジ穴に接合される。
前記錘６は表面に螺旋状の溝（ウ）を備えている。
【００２６】
尚、前記浮遊手段５および前記鉛６は前述した手段で回転部品２や軸１に設けられるので、脱着可能となる。
【００２７】
実施例１においては、成分抽出加速装置の軸１の上方先端は図１、２、３、４、５、６、で示す００４８項で後述する圧入ジョイント１２で既成のペットボトルキャップ１１の底面に脱着可能の固定をさせている。
【００２８】
実施例１では軸１の材質を可撓性をつ硬化ゴムを使用する事で、軸１が可撓性を備えるのことにより、０００３項で定義した首振り機能は実現される。これにより、取り付け部分３ａに備えさせた抽出対象物７は、圧入ジョイント１２に設けられた軸１を支点としての公転回転が可能となる。
【００２９】
実施例１で述べた本発明の成分抽出加速装置を、ほぼ満水にした既成のペットボトル１０に挿入させて、ペットボトル１０内に取り付け部分３ａに取り付けた抽出対象物のティーパック７を、軸を使って浸漬させて、ペットボトルキャップ１１を閉めて密封した状態を図１で示す。尚、実施例における本発明の成分抽出加速装置は、説明用に拡大して描いている。
【００３０】
以下、本発明の成分抽出加速装置の実施例１における動作を図２で説明する。  
【００３１】
図１において、ペットボトルキャップ１１の底面に本発明の成分抽出加速装置を００４８項で後述する圧入ジョイント１２で固定させてペットボトル１０内に浸漬させて密閉した状態で、ペットボトル１０の上部を手１８で掴んで手動でペットボトル１０を矢印Ａの方向に揺り動かす事による本発明の成分抽出加速装置の動作を、図２で説明する。
【００３２】
図２において、ペットボトル１０の上部を手１８で掴んで矢印Ａの方向に手動で揺り動かすと、可撓性を持つ事で首振り機能を実現させた軸１は、圧入ジョイント１２を取り付けられた部分を支点として矢印Ｂの方向に円を描く動作を行う。
【００３３】
これにより、前記軸１に設けられた回転部品２は矢印Ｂの方向に公転回転を行い、この公転回転が回転水流Ｄを生み出す。この回転水流Ｄが、回転部品２の矢印Ｅ方向への自転回転を可能とする。尚、前記首振り機能は前記軸１の末端付近に錘６を備えることで、前記軸１の末端付近の慣性が増すことが出来て前記軸１を支点とする回転部品２の公転回転を大きくして、これにより容器内の回転水流Ｄの発生と持続を促進する効果がある。本実施例では錘６は水中での抵抗を減らす為に円錐形にして、回転水流の増幅効果を狙う為に螺旋の溝（ウ）を入れている。
【００３４】
図２では、前記軸１は、矢印Ｂの方向に点線部分の１´、１´´の方向に円を描く動作を行うが、００１６項で前述したように前記軸１が持つ可撓性により、軸１は鞭振り運動を実現できるので公転回転は大きくなる。
【００３５】
この公転回転により容器内には矢印Ｄ方向に回転水流が生じる。この回転水流が公転回転の持続を促し、且つ回転部品２の自転回転を可能とする。この様にして、前記回転部品２が持つ取り付け部分３ａに固定されたティーパック７を公転回転させ、且つ、前記回転部品２によりティーパック７の自転回転を可能とする事で成分の抽出を加速させることが出来る。
【００３６】
前述した実施例１の図２の動作により、前記軸１及び前記回転部品２が、どのように公転回転を行い、且つ、自転回転が可能となるかをボトル１０の底からの見取り図で示すものが図７である。図７の円の中心で示す圧入ジョイント１２に、前記軸１の上部先端が固定されることにより、回転部品２は圧入ジョイント１２に固定された軸１を支点とした公転回転を行う。
【００３７】
この圧入ジョイント１２に固定された軸１を支点とする公転回転によって容器内に発生した回転水流Ｄは、前記軸１の下部末端付近に設けられた前記回転部品２を図７で描く２´、２´´、２´´´、２´´´´で示す公転回転Ｂの持続を促し、且つ前記回転部品２の自転回転Ｅを可能とする。
【００３８】
図２で描くように、前記軸１の末端付近に備えた前記回転部品２は、首振り機能により矢印Ｂ方向に２´、２´´で示すように公転回転Ｂを行う。この公転回転Ｂにより発生した回転水流Ｄの水流効果を強く受けて公転回転と自転回転を促進する手段として、前記回転部品２には図２で示す浮遊手段５を備えさせている。
【００３９】
前記浮遊手段５により、前記回転部品２は回転水流Ｄの水流の影響を強く受け止めて容器内を回転水流Ｄの方向に漂う。又。前記浮遊手段５が回転水流Ｄを受け止めることにより回転部品２の自転回転を促進する。さらに、抽出対象物のティーパック７自体も浮遊手段を備えているので、取り付け部分３を回転部品２にテンビン状に備えた事により、両者は、お互いが持つ浮遊手段をテンビンでバランスを取り合うので前記回転部品２が前記軸１を中心にスムーズに自転回転をする事を促す。
【００４０】
この図２の、ペットボトル１０の上部を手１８で掴んで矢印Ａの方向に手動で揺り動かす動作により、回転部品２は００３７項で述べた図７に示すように、まさに洗濯機の洗濯物のように、自転回転しながら公転回転をするので、ティーパック７を前記回転部品２に固定した場合、ティーパック７の抽出が加速されて抽出時間が短縮される。
【００４１】
図１で示した本発明を図２で示す動作で使用した場合の、抽出対象物のティーパック７が内蔵する成分抽出物の常温水における成分抽出時間の短縮状況について以下に述べる。
【００４２】
本発明の成分抽出加速装置を使用せずに、ペットボトル１０に常温水を満たして、既成のティーパック７を、ペットボトル１０に挿入してペットボトルキャップ１１を閉じて密閉状態にした場合の成分抽出時間について説明する。この状態においては、既成のティーパック７は浮力によりボトル１０内の上部に浮き上がる。手動でボトル１０を揺り動かしてもボトル１０上部に浮き上がったままなので回転せず成分抽出に時間がかかる。ボトル１０を逆さにした後に元に戻す上下運動を繰り返して既成のティーパック７の浮力を利用して上下に浮遊させても成分抽出に時間がかかる。ボトル１０を回転させても図２で示す回転水流Ｄは発生しにくく、これを利用することが出来ない。又、ティーパック７に棒を設けている特許公開２００３−０６３５６２号に記載されている先行技術では、ボトル１０を揺り動かしても、回転させても、ティーパック７を公転回転させて、且つ、ティーパック７を自転回転させることが出来ないので、回転による抽出効果は見受けられなかった。
【００４３】
実験結果においては、既成のティーパック７を挿入してペットボトルキャップ１１を閉じて、手動で何度か振った後にペットボトル１０をそのまま放置していた場合は、３０分以上の抽出時間がかかった。又、上下左右にペットボトル１０を手動で揺り動かす手段や回転させる手段と放置する状況を繰り返した場合においては、特許公開２００３−０６３５６２号に記載されている先行技術も既製品と同じく１８分の抽出時間を要した。
【００４４】
又、ボトル１０の上下運動を手動で繰り返して、ティーパック７の浮力を利用してティーパック７を上下に浮遊させる手段と併せてボトル１０を回転させる手段とボトル１０を放置する状況を繰り返し行った場合や、特許公開２００３−０６３５６２号に記載されている先行技術の棒をペットボトルキャップ１１に固定して浸漬させた状態でボトル１０を手動で揺り動かしたり、上下運動させたり、回転させる手段とボトル１０を放置する状況を繰り返し行った場合でも、成分抽出時間に１２分を要した。登録実用新案３０１７５３４号に記載されているペットボトルキャップ１１の底面にカートリッジ８を備えた先行技術についても、前記の動作において１２分以上の抽出時間を要した。  
【００４５】
図１で示す形態の本発明の成分抽出加速装置を図２で示す動作で使用した場合は、手動でボトル１０を揺り動かす状況とボトル１０を放置する状況を繰り返し行った場合では、ティーパック７の抽出時間は３分で完了する。この成分抽出時間の短縮は常温水や冷水においては、前記した従来の抽出方法に比べて著しい違いがある。
【００４６】
図３は、本発明の成分抽出加速装置の分解図である。この図において００４８項で後述する圧入ジョイント１２によってペットボトルキャップ１１に固定された本発明の成分抽出加速装置は、ペットボトル１０に挿入され、図１で示すように、ボトル１０内に浸漬させて密閉される。
【００４７】
前記した圧入ジョイント１２は発明者が新たに創造して製造したもので既製品ではない。
以下において、圧入ジョイント１２の本体の詳細な構造を説明する。図４で示すように既成のペットボトルキャップ１１の底面にはキャップ１１を閉める際に、その外周がペットボトルの口に密着挿入固定されることにより水漏れを防止する内輪突起物１５が設けられているものが多い。
【００４８】
図５で示すように、本発明で用いる圧入ジョイント１２とは、図４で示す既成のペットボトルキャップ１１が備える水漏れ防止用の内輪突起物１５の内側に、その上部外面を線バネ１４のバネ力を利用して圧入することによりペットボトルキャップ１１の底面に固定する事が出来る。且つ、この圧入ジョイント１２は図５で示すように、中央に空間（エ）を備えている。このようにしてペットボトルキャップ１１の底面に固定された圧入ジョイント１２の中央にある空間（エ）に軸１の上方先端を圧入固定する事により、本発明の成分抽出加速装置はペットボトルキャップ１１の底面に固定される。軸１の圧入力を確保する為に圧入ジョイント１２は少なくとも内輪突起物１５の高さ相当の厚みを持たせている。
【００４９】
既製品のペットボトルキャップ１１のキャップ底面には前記内輪突起物１５が設けられているものが多いので、前記圧入ジョイント１２を用いる事で、本発明の成分抽出加速装置の軸１をキャップ底面に嵌めこめるので、従来の既成のペットボトルキャップ１１にそのまま使用出来るので、新たにペットボトルキャップ１１を作り変える必要が無くなる。
【００５０】
図５で示すように圧入ジョイント１２の本体には、中央に軸１の上方先端を圧入固定する空間（エ）がある。又、外周の一部がＣ字の開口空間（オ）を備えており、図４で示す内輪突起物１５の内側に、この圧入ジョイント１２の外周を圧入する際に、このＣ字の開口空間（オ）の変形弾性を利用して圧入を可能にする。さらに、図３、図４、図５、図６に示すように、脱落防止の為に、圧入ジョイント１２のＣ字の開口空間（オ）の反対側の外周の内側に線バネ１４を備えて、線バネ１４の外周に開けられた穴から外に突き出た腕が内輪突起物１５の内側に引っかかる機能を備えている。
【００５１】
この線バネ１４によってキャップ１１に圧入ジョイント１２は圧入固定される。図６で示すように軸１の上方先端をキャップ１１に圧入固定した状態で、本発明を実施したものが図１であり、この状態でボトル１０を矢印Ａの方向に回転させた場合の動作を表したのが図２である。  
【００５２】
尚、ペットボトルキャップ１１の内輪突起物１５の形状によっては、線バネ１４を使用しなくても、圧入ジョイント１２の外周の一部が備えているＣ字の開口空間（オ）の変形弾性の力のみで固定することが出来る場合がある。
【実施例２】
【００５３】
図８では、実施例２を示す。図１は成分抽出物を内包した既成のティーパック７を抽出対象物として使用した図であったが、図８ではティーパック７の代わりに、成分抽出物を内蔵したカートリッジ８を抽出対象物として用いる。尚、成分抽出物には、粉末のものと固体のものがあり、図１１で示す固体の成分抽出物９は、そのまま取り付け部品３に固定できるが、粉末のものは、図１で示すティーパック７や図８で示すカートリッジ８を用いてこれに内蔵されることにより使用される。    
【００５４】
図８は、図１で示す成分抽出物を内包したティーパック７を抽出対象物として使用する場合の実施例１とは別の実施例２を示すもので、成分抽出物を内蔵させたカートリッジ８を抽出対象物として、本発明の成分抽出加速装置に取り付けた図である。尚、このカートリッジ８は発明者が新たに創造して製造したもので既製品ではない。
【００５５】
このカートリッジ８は金属製なので重みがある。図８で示す実施例２では、図１に示す実施例１の場合に比べて錘６を備えていない。その理由はカートリッジ８自体に重みがあるので、これが００３３で前述した錘６の役目を果たすからである。実施例２においても実施例１同様に取り付け部分３ｂ´に浮遊手段５を固定する。又、回転部品２の反対側にテンビン状に取り付け部分３ｂを設け、前記取り付け部分３ｂにはカートリッジ８を取り付けている。
【００５６】
図８で示す実施例２では、００７７項で後述する底面に瘤状の突起物１７を持つ接合ジョイント１３ｂを備えたフレンジジョイント１６ｂを使用する。又、軸１ａの先端には前記突起物１７に嵌めこんで接合する事が出来るベロを持つ空間（ソ）を備えさせている。この接合手段により首振り機能を実現させる。尚、前記接合ジョイント１３ｂを設けた接合手段を軸１ａに複数備えることで首振り機能の効果が増す場合がある。
【００５７】
図８が示す成分抽出加速装置をペットボトル１０内に浸漬させて密閉した状態で、ペットボトル１０の上部を図２で示した手１８で掴んでペットボトル１０を手動で矢印Ａ方向に揺り動かすのと同じ動作を行った場合の、本発明の成分抽出加速装置の動作を図９で示す。この実施例２の場合も、軸１ａ及び回転部品２は図２で示す実施例１と同じ動きを示す。
【００５８】
さらに、ボトル１０を横にして図９で示す矢印Ａの方向に手動で揺り動かして回転をさせた場合は、浮力と重力の復元力による回転が利用できる。つまり、図８に示す取り付け状態でボトル１０を横にして図９で示す矢印Ａの回転をさせた場合は、回転部品２の側面の取り付け部分３ｂ´に固定された浮力を持つ浮遊手段５は、軸１ａの回転を伝えられた回転部品２の回転により下方に押しやられる。又、この浮遊手段５とはテンビンの逆側に固定された重みを持つ金属製のカートリッジ８は上方に押し上げられる。  
【００５９】
この浮力を持つ浮遊手段５と重みを持つ金属製のカートリッジ８が、元の状態に復元する力で回転部品２は軸１ａを中心に回転をする。ボトル１０を縦にした状態での回転と、横にした状態の回転を繰り返すことで、図８で示す実施例２において、カートリッジ８内の成分の抽出時間を短縮出来る。
【００６０】
図１０は、前記フレンジジョイント１６ｂを使用した場合の本発明の成分抽出加速装置の分解図を示している。このフレンジジョイント１６ｂを備えた本発明は００４７項で前述した図４で示す内輪突起物１５を設けていないペットボトルキャップ１１´や前記圧入ジョイント１２が使用できない様々な形態の容器の蓋に使用する事を可能とする。
【００６１】
前記実施例１又は２では、回転部品２の縦穴（ア）を軸１が貫通する事により、軸１に貫通されて固定部品４ａ、４ｂで抜け止め固定された回転部品２が軸１を中心に回転する場合の、本発明の成分抽出加速装置の実施例を述べた。
【実施例３】
【００６２】
図１１が示す実施例３においては、取り付け部分３の上方先端３αが、軸１の末端に設けた中空（カ）の底面の穴（キ）に挿入されて固定部品４Ｃで抜け止め固定されることで、この部分が回転部品となり軸１の末端を中心に回転する機能を持つ形態の実施例について説明する。
【００６３】
図１１で示すように、実施例３においては、軸１の末端をこぶ状（セ）にして中空（カ）を設け、中空（カ）の底面に穴（キ）を設けて、取り付け部分３の上方先端３αを穴（キ）に挿入して固定部品４ｃで抜け止め固定する。この上方先端３αは穴（キ）の口径より細い直径にすることで、穴（キ）を中心に回転することが出来る。尚、取り付け部分３の下方には固体の成分抽出物９を固定する。この手段により、取り付け部分３に固定された固体の抽出対象物９は軸１の末端のこぶ状（セ）の底面の穴（キ）を中心に回転する。
【００６４】
図１１においては、軸１の末端付近の慣性を高める為に、軸１の末端に設けられたこぶ状（セ）の上部付近には、軸１で貫通した錘６を一対の固定部品４ａ、４ｂで抜け止め固定する。この様に軸１に錘６を付けると、軸１の慣性が高まる効果がある。
【００６５】
又、前記実施例１又は２で示した回転水流Ｄによる回転作用を強く受ける手段として、取り付け部分の上方末端３αが軸１の末端のこぶ状（セ）の底面の穴（キ）から下に出た部分に羽根を四方に備えた浮遊手段５を取り付ける。
【００６６】
図１１で示す実施例３では、容器１０内に軸１を設ける場合に、００７２で後述する容器蓋の底面にゴム管の接合ジョイント１３ａを設けたペットボトルキャップ１１ａを使用して、前記軸１の先端を前記接合ジョイント１３ａに挿入して接合する。この接合手段により首振り機能を実現している。前記接合ジョイント１３ａを設けた接合手段を軸１に複数備えることで首振り機能の効果が増す場合がある。
【００６７】
図１１で示す実施例３においては、ボトル１０の上部を前記実施例１又は２で示す矢印Ａの方向に揺り動かした場合、前記実施例１又は２と同様の動きをして、接合ジョイント１３ａに軸１が接合された部分を支点として、取り付け部分３に固定された抽出物９は公転回転を行い、且つ自転回転が可能となるので成分の抽出が加速される。この取り付け部分３に成分抽出物を内蔵した抽出対象物を固定した場合においても、同様の動きをするのは言うまでもない。  
【００６８】
図１１では、本発明の成分抽出加速装置の軸１の上方先端を挿入して固定することが出来るゴム管の接合ジョイント１３ａを備えたペットボトルキャップ１１ａを用いているが、前記軸１の上方先端を固定することが出来る接合ジョイント１３ａを備えた容器蓋を様々な容器に合わせて作成する事で、本発明の成分抽出加速装置は、ペットボトル１０以外の様々な容器での使用が可能となる。
【実施例４】
【００６９】
実施例４においては、首振り機能を実現させる接合ジョイント１３をについて説明する。
【００７０】
付言すれば、０００３項で定義した首振り機能を実現させる為には、実施例４で示すように、様々な接合ジョイント１３を作成して使用することが考えられる。
【００７１】
下記の実施例４では、接合ジョイント１３をペットボトルキャップ１１で使用する実施例を示すが、様々な容器においても本実施例４と同じ仕様の接合ジョイント１３を作成することで首振り機能の実現をさせることが出来る。
【００７２】
図１２は、００６６項で前述した、ゴム管の接合ジョイント１３ａを備えたペットボトルキャップ１１ａを示している。軸１の先端を前記接合ジョイント１３ａに挿入することで、前記接合ジョイント１３ａの効果で、００１８項で前述したように軸１が接合部分に可撓性を備えることにより首振り機能を実現させることが出来る。この形態においては、底面にゴム管の接合ジョイント１３ａを挿入出来る軸又は突起物を備えたペットボトルキャップ１１を作成する事でも接合が可能である。
【００７３】
図１３は、突起物１７を持つ接合ジョイント１３ｂを備えた、ペットボトルキャップ１１ｂを示している。軸１ａの先端には前記突起物１７に嵌めこんで接合する事が出来るベロを備えた空間（ソ）を備えさせており、嵌め込むことで首振り機能を実現させることが出来る。
【００７４】
図１４は、ゴム管の接合ジョイント１３ａを備えさせた図５で示す圧入ジョイント１２ａを示している。軸１の先端を前記接合ジョイント１３ａに挿入することで、首振り機能を実現させることが出来る。この形態においては、底面にゴム管の接合ジョイント１３ａを挿入出来る軸又は突起物を備えた圧入ジョイント１２を作成する事でも接合が可能である。
【００７５】
図１５は、突起物１７を持つ接合ジョイント１３ｂを備えた圧入ジョイント１２ｂを示している。軸１ａの先端には前記突起物１７に嵌め込んで接合する事が出来るベロを備えた空間（ソ）を備えさせており、突起物１７に嵌めこむことで首振り機能を実現させることが出来る。
【００７６】
図１６は、突起物１７を持つ接合ジョイント１３ｂを備えたフレンジジョイント１６ｂの下部末端にゴム管の接合ジョイント１３ａの上部を挿入して、ゴム管の接合ジョイント１３ａの下部は軸１に挿入して接合させる事により首振り機能の実現させる事が出来る。図１６においては、この場合の分解図を示している。もちろん、ゴム管の接合ジョイント１３ａを備え付けたフレンジジョイント１６ａでも、同じ効果があるのは言うまでもいない。
【００７７】
図１７は、突起物１７を持つ接合ジョイント１３ｂを備えたフレンジジョイント１６ｂを示している。軸１ａの先端には前記突起物１７に嵌めこんで接合する事が出来るベロを備えた空間（ソ）を備えさせており、はめ込むことで首振り機能を実現させることが出来る。
【００７８】
以上の実施例１、２、３、４においては、本発明の形態と動作についての実施例を説明した。
【００７９】
実施例１、２で示したように、回転部品２の取り付け部分３をテンビン状にすることで、抽出対象物や浮遊手段５や錘６を前記取り付け部分３にテンビン状に設けることが可能となる。又、複数の抽出対象物を取り付ける場合においても、テンビン状に設ける事でバランスを整えることが出来るので前記自転回転部品２の回転を促進する効果がある。尚、回転部品２をテンビン状にして軸１に備えた場合は、軸１が公転回転しない場合でも、容器を回転させた場合、前記回転部品２は自転回転を行う場合がある。
【００８０】
更に、軸１、回転部品２、取り付け部品３、抽出対象物に浮遊手段５や錘６を備え付けることで、前記回転部品の回転を高める効果がある。
【００８１】
付言すれば、抽出対象物の公転回転及び／又は自転回転を促進するために、回転部品２の取り付け部分３をテンビン状にする手段や、浮遊手段５や錘６を用いる手段で回転部品２の取り付け部分３に取り付けられた抽出対象物の回転を促進させる為の様々な形態がある。以下の使用例において、これらの形態については述べる。
（使用例）
【００８２】
図１８は、回転部品２の側面にテンビン状に突出させた一対の取り付け部分３ｂ、３ｂ´にネジ部分を設けて、このネジ部分に適合するネジ穴（イ）、（イ´）を持ったティーパック７、７´を取り付けた例である。このネジ穴（イ）、（イ´）を持ったティーパック７、７´は発明者が新たに創造して製造したもので既製品ではない。このティーパック７、７´は浮力による浮遊手段を備えており、これらをテンビン状に一対に固定することでバランスが取れて、前記実施例１と同様の動きをする事により、ティーパック７、７´の成分の抽出が加速する。
【００８３】
図１８の取り付け例においては、ネジ穴（イ）、（イ´）を持ったティーパック７、７´に変えて、取り付け部分３ｂ、３ｂ´の先端に突起物を設けて、この突起物に圧入する穴（イ）、（イ´）を備えた特製のティーパック７、７´を圧入固定する方法でも良いことは言うまでもない。
【００８４】
図１９は回転部品２の側面の取り付け部分３ｂに、羽根等の浮遊手段と浮力を持つ材質のカートリッジ８´を取り付けた例である。このカートリッジ８´は発明者が新たに創造して製造したもので既製品ではなく、このカートリッジ８´本体の取り付け部分に回転機能を持たせたものも考案している。
【００８５】
前記カートリッジ８´と反対側のテンビン状の取り付け部分３ｂ´には錘６を付ける。このように浮力を備えた浮遊手段を持つカートリッジ８´と錘６をテンビン状に取りつける事で、００５３項で述べた前記実施例２と同じ動きをする。
【００８６】
尚、取り付け部分３ｂ、３ｂ´は、前記実施例１又は２、においては、ネジ式の固定方法で使用しているが、これらを取り付ける場合においても００８３項で述べた手段と同じく、圧入固定を用いる方法で良いことは言うまでもない。
【００８７】
図２０は取り付け部分３ａ、３ｂ、３ｂ´を三方向のテンビンにして、これに、浮遊手段５と錘６と抽出対象物のティーパック７を取り付けた例である。これについても、テンビンの効果で、浮遊手段５と錘６とティーパック７のバランスが取れて、回転がスムーズに出来るので、００５３項で述べた前記実施例２と同様の動きをする。
【００８８】
図２１は中空クを開けた球形の回転部品２αを作成して、軸１を縦穴の上穴（ア）と縦穴の下穴（ア´）を貫通させて、一対の固定部品４ａ、４ｂで抜け止め固定する。前記実施例１又は２と同様にこの縦穴（ア）、（ア´）は軸１の直径より大きい口径を持つことにより、回転部品２αは軸を中心に回転する事が出来る。
【００８９】
前記回転部品２αの側面に一対の対称の穴（ケ）、（コ）を作り、右方の穴（ケ）には螺旋状の糸錘６を固定した取り付け部分３ｂの末端を挿入して固定部品４ｅで抜け止め固定する。そして、左方の穴（コ）には取り付け部分３ａを羽根車状の浮遊手段５の先端に取り付けた末端の取り付け部分３ｂ´を挿入して固定部品４ｆで抜け止め固定した例である。
【００９０】
図２１は、００５３項で述べた前記実施例２と同様の動きをする。尚、螺旋状の糸錘６や羽根車状の浮遊物５は、これ自体も回転部品２αを中心に自転回転するので、回転水流Ｄの影響による回転が増す。  
【００９１】
図２２は、浮遊手段５と錘６の両方を同じ側に取り付け部分３ｂで固定する事で、浮遊手段５の浮力を調節して、バランスを整えることが出来る例である。尚、テンビン状の逆側には、取り付け部分３ａを備えており、前記実施例１又は２と同様の動きを示す。
【００９２】
図２３は浮遊手段５とは逆側のテンビンの取り付け部分３ａの根元の軸部分３αを長くして、この根元の軸部分３αに板錘６を備えた例であり、前記実施例２の動きを示す。この板鉛６は根元の軸部分３α上の移動が出来て、この移動により、バランスを整える事が出来る。
【００９３】
図２４は４枚の羽根を持った浮遊手段５とは逆側のテンビンの取り付け部分３ｂに、重みのある金属製のカートリッジ８を備え、このカートリッジ８に取り付け部分３ａを備えた例であり、前記実施例２の動きを示す。この構造は、取り付け部分３ａに取り付けるものよってバランスを整えることが出来る。又、軸１及び取り付け部分３ｂ、３ｂ´の回転部品２αへの取り付け方法は００８８項で述べた前記図２１と同様なので、取り付け部分３ｂ、３ｂ´は回転部品２αを中心に回転することが出来る。
【００９４】
図２５は、４枚の羽根を水車状に持つ浮遊手段５、５´を回転部品２αに一対に取り付けた例であり、実施例1と同じ動きをする。この浮遊手段５、５´の先端には抽出対象物を固定できる取り付け部品３ａ、３ａ´が備えてある。浮遊手段５、５´の根元の取り付け部分３ｂ、３ｂ´の取り付け方法は００８８項で述べた前記図２１と同様なので、３ａ、３ａ´は回転部品２αを中心に回転することが出来る。この回転により、これに固定されるものの成分抽出を加速させる。  
【００９５】
図２６は、軸１に２個の回転部品２、２´を取り付けた例であり前記実施例１で示す動きをする。この回転部品２、２´に固定した取り付け部分３ａ、３ｂ、３ｃ、３ｄには合計４個のティーパック７ａ、７ｂ、７ｃ、７ｄを固定している。回転部品２、２´は、軸１の末端に錘６ａを付けた場合は、慣性により回転を高められるが、複数の回転部品２，２´を軸に備える場合は、上部の回転部品２´付近の軸１にも錘６ｂ、６ｂ´を付けると、可撓性のある軸ジョイント１３の効果を高めて軸1の公転動作を増幅させる場合がある。尚、この図２６においての錘６ｂ、６ｂ´は着脱可能の糸錘を使用している。
【００９６】
図２７は回転部品２に羽根状の浮遊手段５を持たせた例であり、前記実施例１又は２と同じ動きをする。回転部品２の縦穴（ア）に軸１を貫通させて上下を固定部品４ａ,４ｂで抜け止め固定している。この回転部品２は、単数の羽根状の浮遊手段５及び取り付け部分３ａを備えている。回転部品２に羽根状の浮遊手段５を備えない場合でも、ある程度の回転は期待出来るが、回転部品２が単数又は複数の羽根状の浮遊手段５を備えることで、回転水流の影響による回転が促進される。
【００９７】
尚、図２７で示す取り付け部分３ａの末端の根元をネジ部分にして、回転部品２にネジ部分に適合する穴（イ）を備えさせることで、図２７で示す先端がフック状の取り付け部分３ａは、実施例１又は２で述べた先端がネジ状の前記取り付け部分３ｂとの交換が可能となり、抽出対象物の形状に対応する事が出来る。
【００９８】
前記実施例１又は２で示した回転部品２の縦穴（ア）に、軸１を貫通して、回転部品２が軸１を中心に回転する場合の使用例を以上で述べた。
【００９９】
前記実施例３では、取り付け部分３の先端３αが軸１の末端のこぶ状（セ）の底面の穴（キ）に挿入されることで回転する機能を持つ実施例を述べた。この場合の取り付け部分３の回転機能のもっともシンプル形状を図２８で示す。
【０１００】
図２８においては、軸１の末端に穴（キ´）を備えた空洞（カ´）を設けて、取り付け部分３の先端３αを穴（キ´）に押し込んで空洞（カ´）の内側に嵌め込んだものである。取り付け部分３の先端３αは球形で、空洞（カ´）の内側にはめ込まれると、取り付け部分３は軸１を中心に回転することが出来る。これは前記実施例３と同様の動きを示す。
【０１０１】
以下において、軸１を中心に回転する機能を持つ回転部品２α´に、この回転部品２α´を中心に回転する機能持つ取り付け部品３ａ又は３ｂを備えた形態の使用例、及び、軸１本体に回転機能を備えた形態の使用例について説明する。  
【０１０２】
図２９は中空（ク）を備えた球状の回転部品２α´を作成して、軸１の末端を回転部品２α´の上部穴（ア）に挿入して、固定部品４ｄで抜け止め固定したものを示す。穴（ア）の口径は軸１の直径より大きいので回転部品２α´は軸１を中心に回転する機能を持つ。
【０１０３】
又、取り付け部分３ａの先端を回転部品２α´の下部穴（ア´）に挿入して固定部品４ｃで抜け止め固定することにより、取り付け部分３ａは回転部品２α´を中心に回転する機能を持つので、軸１を中心に回転する回転部品２α´の回転と回転部品２α´を中心に回転する取り付け部分３ａの２箇所が回転させることが出来、前記実施例３と比べ回転部品２α´が軸１を中心に回転する上に、更に取り付け部分３ａ自体も回転するので、２箇所の回転で回転効果が高まることがある。  
【０１０４】
図３０は、０１０２項で示す前記図２９と同じ手段で軸１及び取り付け部分３ｂを回転部分２α´に取り付けたものである。この取り付け部分３ｂの末端には浮遊手段を備えたカートリッジ８´を固定する。このカートリッジ８´は００８４項で示す図１９で述べたカートリッジ８´と同じ機能を備えたもので既製品ではない。又、回転部品２α´の上部には、軸１によって貫通された錘６の底部が接面され、錘６の上部は固定部品４ｇで抜け止め固定される。この錘６により軸１の末端付近の慣性が高まる。この形態は、前述した図２９で示す０１０２項と同様の動きをする。
【０１０５】
図３１は、軸１及び取り付け部分３ｂを、０１０２項、０１０４項で示す前記図２９、３０と同じ手段を用いて、固定部品４ｃ、４ｄで回転部分２α´´に抜け止め固定している。又、この回転部品２α´´の側面に対称の穴（ケ）、（コ）を作り、右方の穴（ケ）には、取り付け部分３ａの根元の末端を挿入して固定部品４ｅで抜け止め固定して、抽出対象物のティーパック７を取り付け部分３ａに固定して、左方の穴（コ）には取り付け部分３ｂ´の根元の末端を挿入して固定部品４ｆで抜け止め固定して、取り付け部分３ｂ´に浮遊手段５を固定した例である。
【０１０６】
図３１では前記実施例１と同じ動きをするが、縦穴（ア）に通された軸１を中心に回転部品２α´´が回転することに加え、この回転部品２α´´に取り付けられた、錘６を固定した取り付け部分３ｂおよび、ティーパック７を固定した取り付け部分３ａおよび、浮遊手段５を固定した取り付け部分３ｂ´が回転することにより、実施例１で示す回転水流Ｄの発生を促し、又、この回転水流により、抽出対象物のティーパック７も自転回転するのでティーパック７に内包された成分抽出物の抽出が加速する。  
【０１０７】
図３２は、軸１に回転機能を備えた使用例である。この使用例においては、回転機能を持つ接合ジョイント、１３α、１３α´、によって軸１が回転する機能を持つ。この図で示す軸１´´の末端には実施例３と同様にこぶ状（セ）に中空（カ）を設けている。中空（カ）の底部の穴（キ）には錘６を固定した取り付け部品３ｂの先端を挿入して固定部品４ｃで抜け止め固定する。又、中空（カ）の左右に対称の穴（ケ）、（コ）を作り、右方の穴（ケ）には、取り付け部分３ａの根元の末端を挿入して固定部品４ｅで抜け止め固定して、抽出対象物のティーパック７を取り付け部分３ａに固定する。左方の穴（コ）には取り付け部分３ａ´の根元の末端を挿入して固定部品４ｆで抜け止め固定して、取り付け部分３ａ´に抽出対象物のティーパック７´を固定した例である。軸１´´の先端は、後述する回転機能を持つ接合ジョイント１３αの底面の穴（サ）に挿入されて固定部品４ｈで抜け止め固定する。    
【０１０８】
図３２で示す回転機能を持つ接合ジョイント１３α、１３α´とは、円柱に中空（ス）、（ス´）を設けて、その底部に穴（サ）、（サ´）を上部に穴（シ）、（シ´）を設けたものである。これらの穴（サ）、（サ´）、（シ）、（シ´）の口径は軸１、１´、１´´の直径より大きめに作成する。
【０１０９】
軸１´の末端は回転機能を持つ接合ジョイント１３αの上部穴シを貫通させて固定部品４ｉで抜け止め固定することで、軸１´は接合ジョイント１３αを中心に回転する機能を持つ。さらに、軸１´の先端は回転機能を持つ接合ジョイント１３α´の底面の穴（サ´）に挿入されて固定部品４ｈ´で抜け止め固定することで軸１´は回転機能を持つ接合ジョイント１３α´を中心に回転することが出来る。
【０１１０】
回転機能を持つ接合ジョイント１３α´の上部の穴（シ´）には、軸１が挿入され固定部品４ｉ´で抜け止め固定を行う事により、回転機能を持つ接合ジョイント１３α´は軸１を中心に回転する機能を持つ。
【０１１１】
このようにして、回転する接合ジョイント１３α、１３α´、によって、軸１、１´、１´´自体が回転する機能を備える。
【０１１２】
図３２では、軸１´´に３枚羽根の浮遊手段５を備えることにより、実施例１又は２で示す回転水流Ｄの影響を強める事が出来る。これにより取り付け部分３ａ、３ａ´に固定されたティーパック７、７´は実施例と同様に、自転回転しながら公転回転をすることにより、成分の抽出が加速される。
【０１１３】
尚、抽出対象物によっては、ゴム管の接合ジョイント１３ａや突起物１７を持つ接合ジョイント１３ｂと、回転する接合ジョイント１３αは併用されることもあり、軸１の複数の接合部分にどちらを使用するかを選別する事で、軸１や回転部品２の回転が増す場合がある。
【０１１４】
前記実施例１、２、３、４では、本発明の成分抽出加速装置をペットボトル１０で使用した場合で説明しているが、本発明の成分抽出加速装置はペットボトル１０のみならず、水筒や幅の広い容器等の様々な容器に使用する事が出来る。
【０１１５】
ペットボトル１０を含めて、様々な容器の容器蓋に、本発明の成分抽出加速装置の軸１の先端を固定する方法としては、前記実施例１の圧入手段、前記実施例２のフレンジ手段、前記実施例３、４の専用キャップの手段の他には、吸盤等で容器に固定する吸着手段や、容器に接着して固定する接着手段等が考えられる。
【０１１６】
尚、本発明の成分抽出加速装置で述べた機能を果たす限り、容器の内側全てが軸１の取り付け対象となる。又、軸１は容器に脱着可能な固定のみならず、容器自体に脱着不可能な固定がされる場合がある。
【符号の説明】
【０１１７】
１    軸  
２    回転部品
３    取り付け部分
４    固定部品
５    浮遊手段
６    錘
７    ティーパック
８    カートリッジ
９    固体の成分抽出物
１０  ペットボトル
１１  ペットボトルキャップ
１２  圧入ジョイント
１３  接合ジョイント
１４  線バネ
１５  内輪突起物
１６  フレンジジョイント
１７  突起物
１８  手
ア    回転部品２の縦穴
イ    ネジ部分に適合するネジ穴
ウ    錘表面の螺旋状の溝
エ    圧入ジョイント１２の中心の空間
オ    圧入ジョイント１２の外面のＣ字の開口空間
カ    軸１の末端のこぶ状の塊が持つ中空
キ    こぶ状の塊が持つ中空カの底面の穴
ク    回転部品２αの中空
ケ    回転部品２αの中空の側面の右側の穴
コ    回転部品２αの中空の側面の左側の穴
サ    軸接合ジョイント１３αの底面の穴
シ    軸接合ジョイント１３αの上面の穴
ス    軸接合ジョイント１３αの中空
セ    軸１´´の末端のこぶ状の塊
ソ    ベロを備えた空洞
Ａ  ペットボトル１０を揺り動かす方向を示す矢印
Ｂ  軸1の首振り運動による公転回転を示す矢印
Ｃ  軸１の末端付近の慣性による回転を示す矢印
Ｄ  回転水流を示す矢印
Ｅ  回転部品２の自転回転を示す矢印
【要約】      （修正有）【課題】軸を使って容器内に浸漬させた成分抽出対象物を、公転回転させ、且つ、自転回転をさせることで、抽出時間を短縮させる。【解決手段】軸１を中心に回転する回転部品２を軸１に設けて、前記回転部品２に抽出対象物Ｔを取り付けることが出来る取り付け部分を備えさせて、前記取り付け部分に前記抽出対象物を取り付けて容器１０内に前記軸１を使って浸漬させ、首振り機能を備えさせることにより、前記回転部品２を公転回転させ、且つ自転回転を可能とすることにより、前記回転部品２に取り付けた前記抽出対象物Ｔを公転回転させ、且つ、自転回転を可能とすることで、成分の抽出を加速させる成分抽出加速装置を作成する。【選択図】図１【図１】
0005209823.tif 000002
【図２】
0005209823.tif 000003
【図３】
0005209823.tif 000004
【図４】
0005209823.tif 000005
【図５】
0005209823.tif 000006
【図６】
0005209823.tif 000007
【図７】
0005209823.tif 000008
【図８】
0005209823.tif 000009
【図９】
0005209823.tif 000010
【図１０】
0005209823.tif 000011
【図１１】
0005209823.tif 000012
【図１２】
0005209823.tif 000013
【図１３】
0005209823.tif 000014
【図１４】
0005209823.tif 000015
【図１５】
0005209823.tif 000016
【図１６】
0005209823.tif 000017
【図１７】
0005209823.tif 000018
【図１８】
0005209823.tif 000019
【図１９】
0005209823.tif 000020
【図２０】
0005209823.tif 000021
【図２１】
0005209823.tif 000022
【図２２】
0005209823.tif 000023
【図２３】
0005209823.tif 000024
【図２４】
0005209823.tif 000025
【図２５】
0005209823.tif 000026
【図２６】
0005209823.tif 000027
【図２７】
0005209823.tif 000028
【図２８】
0005209823.tif 000029
【図２９】
0005209823.tif 000030
【図３０】
0005209823.tif 000031
【図３１】
0005209823.tif 000032
【図３２】
0005209823.tif 000033